(57)【要約】【課題】シールド部の汚れが速やかに排除され、シールド部の遮光度合いが直ちに切り換えられる防災用マスクを提供する。【解決手段】袋体１は耐火性と難燃性及び防煙性を有する。耐熱光透過板２は袋体１に形成される窓１ａを封止する。複数の減光フィルム３ａ・３ｂは耐熱光透過板２に対して外部から積層される。最下層の減光フィルム３ａは、耐熱光透過板２に剥離可能に貼着されており、かつ、減光フィルム３ａ・３ｂは、相互に剥離可能に貼着されている。【選択図】        図１
2006326031.tif 000002
【特許請求の範囲】
【請求項１】
耐火性と難燃性及び防煙性を有する袋体と、この袋体に形成される窓を封止する耐熱光透過板と、を備える防災用マスクであって、
前記耐熱光透過板に対して外部から積層される複数の減光フィルムを備え、
最下層の前記減光フィルムは、前記耐熱光透過板に剥離可能に貼着されており、かつ、前記減光フィルムは、相互に剥離可能に貼着されている防災用マスク。
【請求項２】
前記減光フィルムは、少なくとも一方の端部に形成される把持部を備え、この把持部は端部が湾曲して折り返されて当該減光フィルムに接合される接合部を有し、前記上層の減光フィルムは前記下層の減光フィルムより前記把持部が突出している請求項１記載の防災用マスク。
【請求項３】
前記複数の減光フィルムは、同程度の遮光度合いを有している請求項１又は２記載の防災用マスク。
【請求項４】
前記上層の減光フィルムは当該下層の減光フィルムより遮光度合いが大きい請求項１又は２記載の防災用マスク。
【発明の詳細な説明】
【技術分野】
【０００１】
本発明は、防災マスクに関する。特に、火災などの災害で発生する煙又は有毒ガスから身体を防護するマスクに関する。
【背景技術】
【０００２】
例えば、消防士が装着するようなフルフェイスの防災マスクは、身体への装着が容易ではなく、一般家庭やオフィースで緊急時に使用されるには、余り現実的でないと言われている。一般家庭やオフィースでの初期火災に対しては、瞬時に装着ができ軽量であり、煙の吸い込みが数分間の間、防止できれば安全な場所まで避難できるとされている。このような一般家庭用の防災マスクとして、着用が容易で防災効果の高い、低コストの防災マスクが考案されている（例えば、特許文献１参照）。
【０００３】
特許文献１による家庭用防災マスクは、耐火性外被を有する難燃布より成る頭巾体であって、頭巾体の頂部内側に緩衝撃材より成るダンパーを取り着けている。又、前面開口部に透明耐熱材より成る覗き窓を取り着けている。更に、複数箇所に形成した通気孔部内側に防煙フィルターを取り着けている。そして、頭巾体の着用時顎部に対向する内周位置に、下端部を頸部に密着するように伸縮自在に形成した筒状遮蔽布の上端部を隙間なく縫着している。更に、この家庭用防災マスクは、外側面に照明具を着脱可能に挿着し、前面下部内側に音響器を装着している。
【０００４】
一方、特許文献１に開示されたような、頭部から被る袋体のマスクが一般の防護マスクとして最も好ましいとされ、火災などの災害時における種々の状況下で、煙又はその中に含まれる有毒ガスから身体を保護するために使用できる緊急避難用の防護マスクが発明されている（例えば、特許文献２参照）。
【０００５】
特許文献２による防護マスクは、防煙性、耐熱性及び難燃性をもち、かつ透明な部分を有する袋体であって、呼吸補助用の小型ボンベが袋体に直結している。特許文献２による防護マスクは、最低限の視界を確保できる透明性が必要であり、袋体が２種類以上の材質により構成されてもよい、としている。又、この防護マスクは、防煙性をもつ必要があり、袋体は極力外面への開放部をもたない構造が好ましく、又、気体透過性の低い素材で袋体が形成されていることが好ましい、としている。袋体の素材は、難燃性を有することも大きな特徴である。人間が焼け死なない温度領域では、袋体に着火しないことが必要であるが、万一着火した場合はメルトドリップなどにより直に自己消火する性能を有していることが極めて重要である、としている。
【特許文献１】登録実用新案第３０２１４５７号公報
【特許文献２】特開平６−８６８３４号公報
【発明の開示】
【発明が解決しようとする課題】
【０００６】
例えば、火災などが発生した状況では、黒煙が通路及び避難路に排出されてくる場合がある。そして、この黒煙の中を通り抜けて避難しようとするときに、特許文献１による覗き窓や特許文献２による透明な部分が黒煙で汚れて、視界が遮られることが想定される。火災などの緊急時には、この汚れを清掃するゆとりが無いばかりでなく、例えば、油煙の場合はこの汚れを手で払拭しても視界が確保できるとは限らないと考えられる。特許文献１及び２による袋体のマスクは、いわゆるシールド部が黒煙で汚れることについて、何ら対策が施されて無く、状況に応じて前述のシールド部は速やかに視界が確保される必要がある。
【０００７】
又、例えば、火災などが発生した状況では、燃えさかる炎で視界が遮られて、通路及び避難路を確認することが困難な場合もあり、前述のシールド部は透明体よりも、スキーゴーグルのように遮光度合いが大きいほうが好ましい。そして、一旦、通路及び避難路を確認されて、前述の炎から遠ざかると、このシールド部を介して視界を確保できることが好ましい。つまり、前述のシールド部は遮光度合いが小さくなることが好ましい。袋体のマスクにおいて、前述のシールド部の遮光度合いが直ちに切り換えられると、前述のような状況では、避難が速やかになると考えられる。そして、これらのことが本発明の課題といってよい。
【０００８】
本発明は、このような問題に鑑み、袋体の防災用マスクであって、シールド部の汚れが速やかに排除されて視界が確保される防災用マスク、及び状況に応じてシールド部の遮光度合いが直ちに切り換えられる防災用マスクを提供することを目的とする。
【課題を解決するための手段】
【０００９】
発明者は、上記目的を満たすため、防災用マスクのシールド部に剥離可能な減光フィルムを貼着する構成とし、以下のような新たな防災用マスクを発明した。
【００１０】
（１）  耐火性と難燃性及び防煙性を有する袋体と、この袋体に形成される窓を封止する耐熱光透過板と、を備える防災用マスクであって、前記耐熱光透過板に対して外部から積層される複数の減光フィルムを備え、最下層の前記減光フィルムは、前記耐熱光透過板に剥離可能に貼着されており、かつ、前記減光フィルムは、相互に剥離可能に貼着されている防災用マスク。
【００１１】
（１）の発明による防災用マスクは、耐火性と難燃性及び防煙性を有する袋体を備えている。又、袋体に形成される窓を封止する耐熱光透過板を備えている。
【００１２】
この袋体は、頭部から被る袋体であってよく、一端が開口されて他端が封鎖される筒形に形成される。ここで、袋体内部の他端側は頭頂部に当接し、開口された一端側は肩部に至る形態が考えられる。例えば、袋体は、ポリアミド（ｐｏｌｙａｍｉｄｅ）などの耐火性と難燃性を有する耐熱繊維が織られた布を裁断縫製して形成されてよく、袋体内部が機密性のある材料でコーティングされることにより、防煙性が担保される。又、例えば、袋体は、ポリエチレンテレフタレート（ｐｏｌｙｅｔｈｙｌｅｎｅｔｅｒｅｐｈｔｈａｌａｔｅ）などの耐熱フィルムを加熱溶融により加工して袋体に成形されてもよく、防煙性が担保される。袋体であれば、折り畳むことも可能であり、収納に便利である。
【００１３】
袋体に形成される窓は、外部を確認すべく開口される。例えば、この窓は長方形に開口され、視界を妨げることのない幅と高さを有している。そして、この窓が耐熱光透過板で封止される。封止されるとは、窓から煙が侵入することが困難なことを意味している。
【００１４】
耐熱光透過板は前記窓より僅かに大きい矩形の平板であってよく、この平板が大きな曲率で顔面を囲うように円弧状に湾曲していてもよい。耐熱光透過板は、減光フィルムが剥離容易なように合成樹脂からなる硬質板が好ましく、減光フィルムが剥離できる程度の弾性を有していてもよい。光透過板は透明であってもよく、着色成分が含有されて僅かに減光されてもよい。例えば、光透過板は、耐熱性を有する透明ポリカーボネート板であってもよい。
【００１５】
そして、（１）の発明による防災用マスクは、耐熱光透過板に対して外部から積層される複数の減光フィルムを備えている。最下層の前記減光フィルムは、耐熱光透過板に剥離可能に貼着されている。又、減光フィルムは、相互に剥離可能に貼着されている。
【００１６】
例えば、減光フィルムはポリエチレンテレフタレートなどの薄膜の耐熱フィルムからなり、この耐熱フィルムに着色成分が含有されて減光されている。後述するように、複数の減光フィルムは、同程度の遮光度合いを有してもよく、上層の減光フィルムは下層の減光フィルムより遮光度合いを大きくしてもよい。貼着されるとは、接着により貼り付けられることであってよく、相互に接着される一方の接着面に接着剤が塗布されることが好ましい。耐熱光透過板に対して、最下層の減光フィルム側に接着剤が塗布されることが好ましく、下層の減光フィルムに対して、上層の減光フィルム側に接着剤が塗布されることが好ましい。
【００１７】
剥離可能に貼着されているとは、引き剥がしが容易なように接着力が弱いことであってよく、下層の減光フィルムに対して上層の減光フィルムがより剥がれやすいように、接着面積や接着剤の接着力を適時変えることが好ましい。後述する把持部で複数の減光フィルムを把持することにより複数の減光フィルムが一度に剥離されてもよい。この減光フィルムは再接着を要せず、剥離した後に直ちに廃棄されて（捨てられて）もよい。このような減光フィルムは、例えば、レース用のヘルメットでは、捨てバイザー（Ｖｉｓｏｒ）と呼ばれている。捨てバイザーは、ヘルメットのシールド部に貼着されている。
【００１８】
（１）の発明による防災用マスクは、袋体に形成されており、頭部への装着を容易としている。又、外部を確認すべく窓に封止された耐熱光透過板に、複数の減光フィルムが剥離容易に貼着されているので、この減光フィルムが黒煙で汚れて視界が妨げられたときは、直ちに減光フィルムを剥離して、窓は速やかに視界が確保される。更に、この減光フィルムは耐熱光透過板より遮光度合いが大きく、燃えさかる炎で視界が遮られることなく、通路及び避難路を確認することができる。（１）の発明による防災用マスクは、外部を確認する窓の遮光度合いが直ちに切り換えられるという利点がある。
【００１９】
（２）  前記減光フィルムは、少なくとも一方の端部に形成される把持部を備え、この把持部は端部が湾曲して折り返されて当該減光フィルムに接合される接合部を有し、前記上層の減光フィルムは前記下層の減光フィルムより前記把持部が突出している（１）記載の防災用マスク。
【００２０】
（２）の発明による防災用マスクは、減光フィルムの少なくとも一方の端部に形成される把持部を備えている。把持部は、端部が湾曲して折り返されて減光フィルムに接合される接合部を有している。そして、上層の減光フィルムは下層の減光フィルムより把持部が突出している。
【００２１】
例えば、複数の減光フィルムは、上層から順番に一枚ずつ、又は複数枚が一度に短時間の内に剥されることが要求される。ここで、（２）の発明による防災用マスクは、減光フィルムの少なくとも一方の端部に形成される把持部が把持されて、上層の減光フィルムから順番に一枚ずつ、又は複数枚の減光フィルムが一度に剥離される。例えば、把持部は使用者の左側に形成され、把持部が左側から右側に向って移動することにより、当該減光フィルムが剥離される。把持部は使用者の右側に形成されてもよく、把持部が右側から左側に向って移動することにより、当該減光フィルムが剥離される。火災などの緊急時に混乱しないように、減光フィルムの両翼に把持部が形成されていることが好ましい。
【００２２】
（２）の発明による防災用マスクは、減光フィルムの接合部から中央に向う中央部の領域が接着面を形成しており、接合部から折り返される端部が非接着面を形成していると考えられてよく、折り返される接合部が相互の減光フィルムを離間している。接合部は上層の減光フィルム側に折り返されてもよく、接合部は下層の減光フィルム側に折り返されてもよい。
【００２３】
（２）の発明による防災用マスクは、上層の減光フィルムは下層の減光フィルムより把持部が突出しているので、指先で上層側の減光フィルムを自然に把持でき、上層から順番に一枚ずつ、短時間の内に減光フィルムを剥すことが容易になる。又、指先で複数枚の減光フィルムを把持することにより、短時間の内に複数枚の減光フィルムを剥すことが容易になる。
【００２４】
（３）  前記複数の減光フィルムは、同程度の遮光度合いを有している（１）又は（２）記載の防災用マスク。
【００２５】
（３）の発明による防災用マスクは、上層側から減光フィルムが一枚ずつ剥離されることにより、段階的に減光度が低減される。
【００２６】
（４）  前記上層の減光フィルムは当該下層の減光フィルムより遮光度合いが大きい（１）又は（２）記載の防災用マスク。
【００２７】
例えば、減光フィルムは、透明の合成樹脂に同色の着色成分の含有量を変えて明度を異ならせることにより、上層の減光フィルムが当該下層の減光フィルムより遮光度合いを大きくしてもよい。
【発明の効果】
【００２８】
本発明による防災用マスクは、袋体に形成されており、頭部への装着を容易としている。又、外部を確認すべく窓に封止された耐熱光透過板に、複数の減光フィルムが剥離容易に貼着されているので、この減光フィルムが黒煙で汚れて視界が妨げられたときは、直ちに減光フィルムを剥離して、窓は速やかに視界が確保される。更に、この減光フィルムは耐熱光透過板より遮光度合いが大きく、燃えさかる炎で視界が遮られることなく、通路及び避難路を確認することができる。本発明による防災用マスクは、外部を確認する窓の遮光度合いが直ちに切り換えられるという利点がある。
【発明を実施するための最良の形態】
【００２９】
以下、図面を参照して本発明を実施するための最良の形態を説明する。
【００３０】
図１は、本発明による防災用マスクの一実施形態を示す斜視外観図である。図２は、前記実施形態による防災用マスクの平面図である。図３は、前記実施形態による防災用マスクの正面図である。図４は、前記実施形態による防災用マスクの左側面図である。図５は、前記実施形態による防災用マスクの着用状態を示す縦断面図である。
【００３１】
最初に、本発明による防災用マスクの構成を説明する。図１において、防災用マスク１０は、耐火性と難燃性及び防煙性を有する袋体１を備えている。又、袋体１に形成される窓１ａを封止する耐熱光透過板２を備えている（図２参照）。図１において、袋体１は、頭部から被る袋体であってよく、一端が開口されて他端が封鎖される筒形に形成される。袋体１内部の他端側は頭頂部に当接し、開口された一端側は肩部に至る形態となっている（図５参照）。
【００３２】
図１において、袋体１は、例えば、ポリアミドなどの耐火性と難燃性を有する耐熱繊維が織られた布を裁断縫製して形成されてよく、袋体１内部が機密性のある材料でコーティングされることにより、防煙性が担保される。又、例えば、袋体１は、ポリエチレンテレフタレートなどの耐熱フィルムを加熱溶融により加工して袋体に成形されてもよく、防煙性が担保される。袋体であれば、折り畳むことも可能であり、収納に便利である（図４参照）。
【００３３】
図１において、袋体１に形成される窓１ａは、外部を確認すべく開口されている。窓１ａは長方形に開口され、視界を妨げることのない幅と高さを有している（図５参照）。そして、窓１ａが耐熱光透過板２で封止されている。封止されるとは、窓１ａから煙が侵入することが困難なことを意味している。
【００３４】
図３において、耐熱光透過板２は窓１ａより僅かに大きい矩形の平板となっているが、この平板が大きな曲率で顔面を囲うように円弧状に湾曲していてもよい。耐熱光透過板２は、後述する減光フィルム３が剥離容易なように合成樹脂からなる硬質板が好ましく、減光フィルム３が剥離できる程度の弾性を有していてもよい。光透過板２は透明であってもよく、着色成分が含有されて僅かに減光されてもよい。例えば、光透過板２は、耐熱性を有する透明ポリカーボネート板であってもよい。
【００３５】
そして、図２において、防災用マスク１０は、耐熱光透過板２に対して外部から積層される複数の減光フィルム３を備えている。最下層の減光フィルム３ａは、耐熱光透過板２に剥離可能に貼着されている。又、減光フィルム３ａ・３ｂは、相互に剥離可能に貼着されている。なお、本実施の形態では、２枚の減光フィルム３ａ・３ｂが積層されているが、３枚以上の減光フィルム３が積層されてもよい。
【００３６】
図２において、減光フィルム３はポリエチレンテレフタレートなどの薄膜の耐熱フィルムからなり、この耐熱フィルムに着色成分が含有されて減光されている。複数の減光フィルム３ａ・３ｂは、同程度の遮光度合いを有してもよく、上層の減光フィルム３ｂは下層の減光フィルム３ａより遮光度合いを大きくしてもよい。ここで、貼着されるとは、接着により貼り付けられることであってよく、相互に接着される一方の接着面に接着剤が塗布されることが好ましい。耐熱光透過板２に対して、最下層の減光フィルム３ａ側に接着剤が塗布されることが好ましく、下層の減光フィルム３ａに対して、上層の減光フィルム３ｂ側に接着剤が塗布されることが好ましい。
【００３７】
図２において、減光フィルム３は剥離可能に貼着されているとは、引き剥がしが容易なように接着力が弱いことであってよく、下層の減光フィルム３ａに対して上層の減光フィルム３ｂがより剥がれやすいように、接着面積や接着剤の接着力を適時変えることが好ましい。把持部３１で複数の減光フィルム３ａ・３ｂを把持することにより複数の減光フィルム３ａ・３ｂが一度に剥離することもできる。減光フィルム３ａ・３ｂは再接着を要せず、剥離した後に直ちに捨てられてもよい。このような減光フィルムは、例えば、レース用のヘルメットでは、捨てバイザーと呼ばれている。捨てバイザーは、ヘルメットのシールド部に貼着されている。
【００３８】
次に、本発明による防災用マスクの作用を説明する。
【００３９】
本発明による防災用マスク１０は、袋体に形成されており、頭部への装着を容易としている。又、外部を確認すべく窓１ａに封止された耐熱光透過板２に、複数の減光フィルム３ａ・３ｂが剥離容易に貼着されているので、減光フィルム３ａ・３ｂが黒煙で汚れて視界が妨げられたときは、直ちに減光フィルム３ａ・３ｂを剥離して、窓１ａは速やかに視界が確保される。更に、減光フィルム３ａ・３ｂは耐熱光透過板２より遮光度合いが大きく、燃えさかる炎で視界が遮られることなく、通路及び避難路を確認することができる。本発明による防災用マスクは、外部を確認する窓の遮光度合いが直ちに切り換えられるという利点がある。
【００４０】
そして、図２において、防災用マスク１０は、減光フィルムの少なくとも一方の端部に形成される把持部３１を備えている。把持部３１は、端部が湾曲して折り返されて減光フィルム３ａ・３ｂに接合される接合部３２を有している。上層の減光フィルム３ｂは下層の減光フィルム３ａより把持部３１が突出している。
【００４１】
例えば、図１において、複数の減光フィルム３ａ・３ｂは、上層から順番に一枚ずつ、又は複数枚が一度に短時間の内に剥されることが要求される。ここで、防災用マスク１０は、減光フィルム３ａ・３ｂの少なくとも一方の端部に形成される把持部３１が把持されて、上層の減光フィルム３ｂから順番に一枚ずつ、又は複数枚の減光フィルム３ａ・３ｂが一度に剥離される。例えば、把持部３１は使用者の左側に形成され、把持部３１が左側から右側に向って移動することにより、減光フィルム３が剥離される。把持部３１は使用者の右側に形成されてもよく、把持部３１が右側から左側に向って移動することにより、減光フィルム３が剥離される。火災などの緊急時に混乱しないように、減光フィルム３ａ・３ｂの両翼に把持部３１が形成されていることが好ましい（図２参照）。
【００４２】
図２において、防災用マスク１０は、減光フィルム３ａ・３ｂの接合部から中央に向う中央部の領域が接着面を形成しており、接合部３２から折り返される端部が非接着面を形成している。折り返される接合部３２が相互の減光フィルム３ａ・３ｂを離間している。図２において、接合部３２は上層の減光フィルム３ｂ側に折り返されてもよく、接合部３２は下層の減光フィルム３ａ側に折り返されてもよい。
【００４３】
本発明による防災用マスク１０は、上層の減光フィルム３ｂは下層の減光フィルム３ａより把持部３１が突出しているので、指先で上層側の減光フィルム３ｂを自然に把持でき、上層から順番に一枚ずつ、短時間の内に減光フィルムを剥すことが容易になる。又、指先で複数枚の減光フィルム３を把持することにより、短時間の内に複数枚の減光フィルム３を剥すことが容易になる。
【００４４】
図２において、防災用マスク１０は、例えば、複数の減光フィルム３ａ・３ｂが同程度の遮光度合いを有してもよく、上層側から減光フィルムが一枚ずつ剥離されることにより、段階的に減光度が低減される。防災用マスク１０は、例えば、上層の減光フィルム３ｂは下層の減光フィルム３ａより遮光度合いを大きくしてもよく、減光フィルム３は、透明の合成樹脂に同色の着色成分の含有量を変えて明度を異ならせることにより、上層の減光フィルム３ｂが下層の減光フィルム３ａより遮光度合いを大きくできる。
【００４５】
このように、袋体の防災用マスク１０において、燃えさかる炎で視界が遮られることなく、前述の炎から遠ざかると、視界を確保すべき窓の遮光度合いが直ちに切り換えられるので、避難が速やかになると考えられる。
【図面の簡単な説明】
【００４６】
【図１】本発明による防災用マスクの一実施形態を示す斜視外観図である。
【図２】前記実施形態による防災用マスクの平面図である。
【図３】前記実施形態による防災用マスクの正面図である。
【図４】前記実施形態による防災用マスクの左側面図である。
【図５】前記実施形態による防災用マスクの着用状態を示す縦断面図である。
【符号の説明】
【００４７】
１    袋体
１ａ    窓
２    耐熱光透過板（光透過板）
３・３ａ・３ｂ    減光フィルム
１０    防災用マスク
【図１】
2006326031.tif 000003
【図２】
2006326031.tif 000004
【図３】
2006326031.tif 000005
【図４】
2006326031.tif 000006
【図５】
2006326031.tif 000007